(57)【特許請求の範囲】
【請求項１】
使用者の口の前方に位置して該口からの飛沫を遮蔽する遮蔽手段と、
前記使用者の頸部周りに着脱可能に装着され、該使用者の頸部の前方で前記遮蔽手段を口の前方に向けて支持する支持手段と、
前記遮蔽手段を、前記使用者の口の前方で前記飛沫を遮蔽する遮蔽状態と前記使用者の口及び鼻の前方から使用者の口の下方まで退避した退避状態との間で遷移させる遷移手段と、
を備え、
前記遷移手段は、
前記遮蔽手段の幅方向中央部における前記支持手段との連結部に設けられ、軸芯が前記使用者の前後方向に沿う回動軸部で構成され、
前記遮蔽手段は、前記回動軸部の軸芯周りに回動されることを特徴とするマウスシールド。
【請求項２】
使用者の口の前方に位置して該口からの飛沫を遮蔽する遮蔽手段と、
前記使用者の頸部周りに着脱可能に装着され、該使用者の頸部の前方で前記遮蔽手段を口の前方に向けて支持する支持手段と、
前記遮蔽手段を、前記使用者の口の前方で前記飛沫を遮蔽する遮蔽状態と前記使用者の口及び鼻の前方から使用者の口の下方まで退避した退避状態との間で遷移させる遷移手段と、
を備え、
前記支持手段は、前記使用者の頸部の両側方から前記使用者の頸部の前方に延びる一対のアーム部を有し、
前記遷移手段は、
前記遮蔽手段と前記一対のアーム部の各先端部との間に介装された接続部と、
該接続部と前記遮蔽手段との連結部に設けられ、軸芯が前記使用者の左右方向に沿う第１回動軸部と、
前記接続部と前記一対のアーム部の各先端部との連結部に設けられ、軸芯が前記使用者の左右方向に沿う第２回動軸部と、で構成され、
前記遮蔽手段は、前記第１回動軸部及び前記第２回動軸部の回動に伴い前記接続部が揺動されることにより、前記遮蔽状態と前記退避状態との間で前記支持手段に対して昇降動されることを特徴とするマウスシールド。
【請求項３】
請求項１又は２に記載のマウスシールドであって、
前記支持手段は、環状体を形成可能な帯状体からなり、
該帯状体は、前記環状体の径を任意に調整可能とされたことを特徴とするマウスシールド。
【請求項４】
請求項１から３のいずれか１つに記載のマウスシールドであって、
前記支持手段を前記使用者の体に対して位置決めする位置決め手段をさらに備えたことを特徴とするマウスシールド。
【請求項５】
請求項１から４のいずれか１つに記載のマウスシールドであって、
前記遮蔽手段及び前記支持手段の少なくとも一つは、紙部材からなるものであることを特徴とするマウスシールド。
【発明の詳細な説明】
【技術分野】
【０００１】
本発明は、マウスシールドに関する。
【背景技術】
【０００２】
近年、感染症対策として使用者の口からの飛沫を遮蔽するマウスシールド等の需要が高まっている。マウスシールド等には、使用者がマウスシールドを装着した状態で飲食等ができるように、開閉可能なスリット状の開閉部を備えたもの（例えば、特許文献１参照）、あるいは、開口部と該開口部を開閉可能に覆う蓋部とを備えたものが存在する（例えば、特許文献２〜４参照）。
【先行技術文献】
【特許文献】
【０００３】
【特許文献１】実用新案登録第３２２８４７２号公報
【特許文献２】特開２０１２−１９２１５４号公報
【特許文献３】特開２０１７−２４３０号公報
【特許文献４】実用新案登録第３２２８３５１号公報
【発明の概要】
【発明が解決しようとする課題】
【０００４】
しかしながら、上記従来のマウスシールド等は、いずれも、使用者の耳に掛けられた状態で使用されるものであった。このようなマウスシールド等では、着脱時及び装着時における耳及び顔周りの不快感が問題となっていた。
【０００５】
本発明は、上記従来の問題点を解決するためになされたものであり、装着状態での飲食等を許容し、かつ、着脱時及び装着時の快適性に優れたマウスシールドを提供することを目的とする。
【課題を解決するための手段】
【０００６】
上記目的を達成するため、本発明のマウスシールドは、使用者の口の前方に位置して該口からの飛沫を遮蔽する遮蔽手段と、前記使用者の頸部周りに着脱可能に装着され、前記遮蔽手段を支持する支持手段と、前記遮蔽手段を、前記使用者の口の前方位置において前記飛沫を遮蔽する遮蔽状態と前記前方位置から退避した退避状態との間で遷移させる遷移手段と、を備えたことを特徴とするものである。
【０００７】
支持手段によって、マウスシールドが使用者の頸部周りに着脱可能に装着されることから、着脱時及び装着時における耳及び顔周りの不快感が解消される。また、支持手段によって、使用者の口からの飛沫を遮蔽する遮蔽手段が所定の位置（口の前方位置）に支持される。遷移手段によって、遮蔽手段を、使用者の口からの飛沫を遮蔽する遮蔽状態と、使用者の口の前方位置から退避した退避状態との間で自在に遷移させることが可能となる。使用者がマウスシールドを装着している状態で、遮蔽手段が遷移手段によって退避状態とされることにより、使用者の口の前方が開放されることから、飲食等が可能となる。
【０００８】
また、前記マウスシールドにおいて、前記遷移手段は、前記遮蔽手段を前記支持手段に対して昇降動させるか、又は、前記使用者の前後方向に沿う軸芯周りに回動させるものであってもよい。
【０００９】
この特定事項により、遮蔽手段の単純な昇降動又は回動によって、遮蔽手段を退避状態としたり遮蔽状態に戻したりすることが可能となる。
【００１０】
また、前記マウスシールドにおいて、前記支持手段は、環状体を形成可能な帯状体からなり、該帯状体は、前記環状体の径を任意に調整可能とされてもよい。
【００１１】
この特定事項により、使用者の頸部周りのサイズに合わせて、支持手段を調整することが可能となることから、大人から子供までまたあらゆる体型の使用者でマウスシールドの着用性が向上する。
【００１２】
また、前記マウスシールドにおいて、前記支持手段を前記使用者の体に対して位置決めする位置決め手段をさらに備えてもよい。
【００１３】
この特定事項により、使用者に対する支持手段の位置の安定化が図られ、延いては支持手段によって支持される遮蔽手段の遮蔽状態における位置の安定化が図られることから、遮蔽手段の遮蔽性能が確保される。
【００１４】
また、前記マウスシールドにおいて、前記遮蔽手段、前記支持手段及び前記遷移手段の少なくとも一つは、紙部材からなってもよい。
【００１５】
この特定事項により、リサイクル性に優れたマウスシールドが実現する。
【発明の効果】
【００１６】
本発明のマウスシールドによれば、装着状態での飲食等を許容し、かつ、着脱時及び装着時の快適性に優れたマウスシールドが実現する。
【図面の簡単な説明】
【００１７】
【図１】実施形態１におけるマウスシールドの斜視図である。
【図２】実施形態１におけるマウスシールドの平面展開図である。
【図３】図１のマウスシールドの装着時におけるシールドの遮蔽状態を示す斜視図である。
【図４】図１のマウスシールドの装着時におけるシールドの退避状態を示す斜視図である。
【図５】実施形態２におけるマウスシールドの斜視図である。
【図６】実施形態２におけるマウスシールドの平面展開図である。
【図７】図５のマウスシールドの装着時におけるシールドの遮蔽状態を示す斜視図である。
【図８】図５のマウスシールドの装着時におけるシールドの退避状態を示す斜視図である。
【発明を実施するための形態】
【００１８】
以下、本発明の実施の形態について、添付図面を参照しながら説明する。以下の説明では、同一の部品等には同一の符号を付しており、それら部品等の名称及び機能も同じである。従って、それらの部品等について重複する説明は省略している。
【００１９】
（実施形態１）
−マウスシールド−
図１は、本実施形態におけるマウスシールドＡの斜視図である。図２は、本実施形態におけるマウスシールドＡの平面展開図である。図３は、図１のマウスシールドＡの装着時におけるシールド１の遮蔽状態を示す斜視図である。図４は、図１のマウスシールドＡの装着時におけるシールド１の退避状態を示す斜視図である。
【００２０】
なお、図において、符号Ｘは、使用者Ｐから視た前後方向を示している。符号Ｙは、使用者Ｐから視た左右方向Ｙを示している。符号Ｚは、使用者Ｐから視た上下方向を示している。図１において、補強部２５１の図示を省略している。また、図２において、取付部材８の図示を省略している。
【００２１】
先ず、マウスシールドＡの構成を説明する。マウスシールドＡは、シールド１と、帯状体２と、を有している（図１、図２参照）。シールド１は、前方向側において、取付部材８を介して帯状体２に取り付けられている（図１参照）。取付部材８は、例えば、プラスチックビス、プラスチックスナップ等から形成されている。以下、マウスシールドＡの各構成要素について詳述する。
【００２２】
＜シールド＞
シールド１は、平面視異六角形状（具体的には、略矩形の下側の隣接する２つの角がそれぞれ斜辺１９ａ，１９ｂによって切り欠かれた形状）に形成されている（図１、図２参照）。シールド１は、例えば、厚さ０．２ｍｍ〜０．８ｍｍ程度の板紙、ボール紙、ケント紙、カード紙等の紙部材から形成されている。本実施形態において、シールド１の全長及び全幅は、それぞれ、約１５８ｍｍ及び約１５０ｍｍに設定されている。なお、紙部材の種類や寸法は上記の例に限定されない。
【００２３】
シールド１の斜辺１９ａと斜辺１９ｂとの中間部、かつ下端縁側には、透孔１５ａが設けられている（図２参照）。透孔１５ａには、取付部材８が前後方向に沿って取り付けられている（図１参照）。シールド１は、取付部材８を回動軸として、取付部材８を通過する軸芯α周りに回動可能となっている。なお、シールド１は取付部材８によって、手で触らない限りは自重等で不測に回動しない程度の強さで帯状体２に取り付けられている。軸芯αは、取付部材８の取付方向、すなわち、前後方向に沿っている。シールド１を軸芯α周りに回動させることにより、帯状体２に対するシールド１の角度が調整可能となっている。シールド１が帯状体２に対して約９０度起こされているとき、シールド１は、帯状体２の上方に約１２０ｍｍ突出している状態となる（図３参照）。なお、この突出長さは一例であり、これに限定されない。
【００２４】
なお、取付部材８は、使用者Ｐの体型の大小に応じて、透孔１５ａの上方に設けられた透孔１５ｂに取り付けられていてもよい（図２参照）。取付部材８が透孔１５ｂに取り付けられた場合、取付部材８が透孔１５ａに取り付けられた場合と比較して、シールド１が帯状体２に対して約９０度起こされているときの帯状体２に対するシールド１の突出量が小さくなる。なお、この透孔１５ｂは設けられていなくともよい。
【００２５】
＜帯状体＞
帯状体２は、環状体２ａを形成可能な略短冊状の板片からなり、使用者Ｐの頸部周りに着脱可能に装着される（図１、図２参照）。ここで「頸部周り」とは、使用者Ｐの頸部及び肩部を指す。帯状体２は、例えば、厚さ０．２ｍｍ〜０．８ｍｍ程度の板紙、ボール紙、ケント紙、カード紙等の紙部材から形成されている。本実施形態において、帯状体２の全長は、約６８０ｍｍに設定されている。なお、紙部材の種類や寸法は上記の例に限定されない。
【００２６】
帯状体２の一端側上端縁には、帯状体２の幅方向に沿って、所定の間隔をもって複数の第１スリット２１が設けられている（図２参照）。帯状体２の他端側下端縁には、第１スリット２１に対応するように、帯状体２の幅方向に沿って、所定の間隔をもって複数の第２スリット２２が設けられている（図２参照）。
【００２７】
複数の第１スリット２１及び複数の第２スリット２２のうち、それぞれ任意に選択されたスリット同士を係合させることにより、環状体２ａが形成される。このようにして環状体２ａが使用者Ｐの頸部周りに形成されることにより、帯状体２が使用者Ｐの頸部周りに装着される（図３、図４参照）。一方、スリットの係合状態が解除されることにより、帯状体２が使用者Ｐの頸部周りから外される。
【００２８】
複数の第２スリット２２のスリット幅は、複数の第１スリット２１のスリット幅よりも大きく設定されている。これにより、両スリット同士の係脱操作の容易化が図られる。
【００２９】
複数の第１スリット２１及び複数の第２スリット２２の互いの係合位置を適宜選択又は変更することにより、環状体２ａの径を所望の大きさに調整することが可能となっている。
【００３０】
なお、環状体２ａを形成可能とする構成は、これに限られず、例えば、帯状体２の一端側縁にはタブが設けられるとともに、帯状体２の他端側には複数のスリット穴が設けられ、このタブがこれら複数のスリット穴のうち任意のスリット穴に差し込まれる構成であってもよい。あるいは帯状体２の両端同士が面ファスナやスナップボタン等で係脱される構成であってもよい。
【００３１】
帯状体２の中央部には、透孔２５ａが設けられている（図１、図２参照）。透孔２５ａには、取付部材８が取り付けられている（図１参照）。透孔２５ａの透孔周辺部２５０は、補強部２５１によって、増厚補強されている。具体的には、透孔周辺部２５０に隣接して設けられた補強部２５１が、透孔周辺部２５０の裏面に折り返されることにより、透孔周辺部２５０が補強される（図２参照）。補強部２５１には、透孔２５ａに対応する透孔２５ｂが設けられている。すなわち、取付部材８は、補強部２５１が透孔周辺部２５０の裏面に折り返された状態において、透孔２５ａ及び透孔２５ｂと、シールド１の透孔１５ａとに貫通している。
【００３２】
帯状体２の透孔２５ａの左右両側には、それぞれ、使用者Ｐに対する帯状体２の装着時に使用者Ｐの鎖骨周辺に突き当てられる突き当て部２７が下方に向かって突設されている（図２参照）。突き当て部２７は、帯状体２の中央に向かって下り勾配となるよう傾斜している。
【００３３】
帯状体２の複数の第１スリット２１及び複数の第２スリット２２の基端側近傍には、それぞれ、帯状体２の幅方向に沿う第１山折り線２３が設けられている（図２参照）。第１山折り線２３に沿って帯状体２が山折りされることにより、帯状体２が使用者Ｐの頸部周りに沿う形状となることから、使用者Ｐに対する帯状体２の装着の容易化が図られる。
【００３４】
帯状体２の突き当て部２７の内側には、それぞれ、帯状体２の下方に傾斜する第２山折り線２４が設けられている（図２参照）。第２山折り線２４に沿って帯状体２が山折りされることにより、帯状体２にねじれが生じるとともに帯状体２の形状が安定することから、使用者Ｐに対する帯状体２の位置、延いては、帯状体２に取り付けられたシールド１の位置の安定化が図られる。
【００３５】
以上説明したマウスシールドＡは、遮蔽手段と、支持手段と、位置決め手段と、遷移手段と、を備える。次に、本実施形態におけるマウスシールドＡに基づいて、これらの手段について、詳述する。
【００３６】
＜遮蔽手段＞
遮蔽手段は、使用者Ｐの口の前方に位置して該口からの飛沫を遮蔽する手段である。本実施形態において、遮蔽手段は、シールド１によって、次のように実現される。
【００３７】
帯状体２に対するシールド１の角度は、シールド１の軸芯α周りの回動によって、調整可能となっている。帯状体２が使用者Ｐの頸部周りに装着された状態において、シールド１が帯状体２に対して約９０度起こされることにより、帯状体２の上方に突出している状態となる（図３参照）。帯状体２の上方に突出しているシールド１の部分は、使用者Ｐの口の前方にシールド１が位置しており、使用者Ｐの口のサイズよりも十分大きく設定されている（図３参照）。このようなシールド１が使用者Ｐの口の前方に位置していることにより、使用者Ｐの口からの飛沫が遮蔽される。
【００３８】
なお、帯状体２に対するシールド１の突出量を使用者Ｐの顔のサイズに合わせて小さくすることが求められる場合、例えば、使用者Ｐが子どもの場合、取付部材８を透孔１５ａの代わりに透孔１５ｂに付け替えることにより、帯状体２に対するシールド１の突出量を小さくすることが可能である。
【００３９】
＜支持手段＞
支持手段は、使用者Ｐの頸部周りに着脱可能に装着され、遮蔽手段を支持する手段である。本実施形態において、支持手段は、帯状体２によって、次のように実現される。
【００４０】
帯状体２は、複数の第１スリット２１及び複数の第２スリット２２によって環状体２ａを形成可能な帯状体である（図１参照）。環状体２ａが使用者Ｐの頸部周りに形成されることにより、帯状体２が使用者Ｐの頸部周りに着脱可能に装着される（図３、図４参照）。
【００４１】
さらに、帯状体２には、シールド１が取付部材８を介して取り付けられている。すなわち、帯状体２は、遮蔽手段であるシールド１を支持するものである。
【００４２】
＜遷移手段＞
遷移手段は、遮蔽手段を、使用者Ｐの口の前方位置において飛沫を遮蔽する遮蔽状態と、使用者Ｐの口の前方位置から退避した退避状態との間で遷移させる手段である。本実施形態において、遷移手段は、遮蔽手段であるシールド１を使用者Ｐの前後方向に沿う軸芯周りに回動させるものであり、取付部材８によって、次のように実現される。なお、取付部材８は、請求項に記載の「回動軸部」に相当するものである。
【００４３】
本実施形態における遮蔽状態とは、シールド１が帯状体２に対して約９０度起こされることにより、シールド１が帯状体２の上方に突出しているとともに、使用者Ｐの口の前方において使用者Ｐの口からの飛沫を遮蔽している状態を指す（図３参照）。
【００４４】
シールド１は、取付部材８を回動軸として、使用者Ｐの前後方向に沿う軸芯α周りに回動可能となっている。シールド１が遮蔽状態から軸芯α周りに約１２０〜１５０度回動されると、シールド１は、帯状体２の上方に突出している状態から、帯状体２の斜め下方に垂下している状態となる（図４参照）。帯状体２の斜め下方に垂下している状態のシールド１は、使用者Ｐの口の前方位置から遠ざかっている。本実施形態における退避状態とは、シールド１が帯状体２の少なくとも斜め下方に垂下している状態を指す（図４参照）。
【００４５】
シールド１が斜辺１９ａ，１９ｂを有する平面視異六角形状に形成されていることにより、シールド１が平面視略矩形状に形成されている場合と比較して、シールド１の退避状態においてシールド１が使用者Ｐの口からより遠ざかることから、使用者Ｐの飲食等に支障をきたす虞がない（図４参照）。
【００４６】
シールド１が再び軸芯α周りに回動されるとともに帯状体２に対して約９０度起こされると、シールド１は、帯状体２の下方に垂下している退避状態から、帯状体２の上方に突出している遮蔽状態に回帰する。
【００４７】
＜位置決め手段＞
位置決め手段は、支持手段を使用者Ｐの体に対して位置決めする手段である。本実施形態において、位置決め手段は、帯状体２の突き当て部２７によって、次のように実現される。
【００４８】
突き当て部２７は、使用者Ｐに対する帯状体２の装着時に使用者Ｐの鎖骨周辺に突き当てられるものであり、帯状体２の透孔２５ａの左右両側にそれぞれ設けられている（図２、図３参照）。マウスシールドＡ全体の重量バランスは、シールド１の重さによって前方に偏っている。突き当て部２７が使用者Ｐの鎖骨周辺に突き当てられることにより、マウスシールドＡ全体の重量バランスの偏りによる帯状体２の前方への傾動が阻止されるとともに、支持手段である帯状体２が使用者Ｐの体に対して位置決めされる。
【００４９】
（実施形態２）
図５は、実施形態２におけるマウスシールドＡの斜視図である。図６は、実施形態２におけるマウスシールドＡの平面展開図である。図７は、図５のマウスシールドＡの装着時におけるシールド１の遮蔽状態を示す斜視図である。図８は、図５のマウスシールドＡの装着時におけるシールド１の退避状態を示す斜視図である。図５において、タブ補強部１１１ａ，１１１ｂ及びアーム補強部２８１ａ，２８１ｂの図示を省略している。図２において、取付部材８ａ〜８ｄの図示を省略している。
【００５０】
実施形態２におけるシールド１は、接続部２０及び取付部材８ａ〜８ｄを介して帯状体２に取り付けられている（図１参照）。シールド１は、帯状体２の前方に位置している（図１参照）。
【００５１】
＜シールド＞
実施形態２におけるシールド１は、略矩形状に形成されたシールド本体１０と、シールド本体１０の左右端縁からそれぞれ略直角に突設されたタブ１１ａ，１１ｂと、を有している（図６参照）。本実施形態において、シールド本体１０の全長及び全幅は、それぞれ、約１５０ｍｍ及び約１３０ｍｍに設定されている。
【００５２】
タブ１１ａ，１１ｂには、それぞれ、透孔１６ａ，１６ｂが設けられている（図６参照）。透孔１６ａ，１６ｂには、それぞれ、取付部材８ａ，８ｂが左右方向に沿って取り付けられている（図５参照）。シールド１は、取付部材８ａ，８ｂを回動軸として、取付部材８ａ，８ｂを通過する軸芯β周りに回動可能となっている。軸芯βは、取付部材８ａ，８ｂの取付方向、すなわち、左右方向に沿っている。シールド１を軸芯β周りに回動させることにより、シールド１が帯状体２に対して昇降動可能となっている。
【００５３】
タブ１１ａ，１１ｂは、タブ補強部１１１ａ，１１１ｂによって、増厚補強されている。具体的には、タブ１１ａ，１１ｂにそれぞれ隣接して設けられたタブ補強部１１１ａ，１１１ｂが、それぞれタブ１１ａ，１１ｂの裏面に折り返されることにより、タブ１１ａ，１１ｂが補強される（図６参照）。タブ補強部１１１ａ，１１１ｂには、それぞれ、透孔１６ａ，１６ｂに対応する透孔１６ｃ，１６ｄが設けられている。すなわち、取付部材８ａは、タブ補強部１１１ａがタブ１１ａの裏面に折り返された状態において、透孔１６ａ及び透孔１６ｃに貫通している。同様に、取付部材８ｂは、タブ補強部１１１ｂがタブ１１ｂの裏面に折り返された状態において、透孔１６ｂ及び透孔１６ｄに貫通している。
【００５４】
＜帯状体＞
実施形態２における帯状体２の中央部の左右両側には、それぞれアーム２８ａ，２８ｂが前方に向かって延設されており、アーム２８ａ，２８ｂの先端には、シールド１に接続される接続部２０が取付部材８ｃ，８ｄを介して取り付けられている（図５参照）。
【００５５】
アーム２８ａ，２８ｂの先端には、それぞれ、透孔１６ｅ，１６ｆが設けられている（図５、図６参照）。透孔１６ｅ，１６ｆには、それぞれ、取付部材８ｃ，８ｄが左右方向に沿って取り付けられている（図５参照）。
【００５６】
アーム２８ａ，２８ｂは、アーム補強部２８１ａ，２８１ｂによって、増厚補強されている。具体的には、アーム２８ａ，２８ｂにそれぞれ隣接して設けられたアーム補強部２８１ａ，２８１ｂが、アーム２８ａ，２８ｂの裏面に折り返されることによりアーム２８ａ，２８ｂが補強される（図６参照）。アーム補強部２８１ａ，２８１ｂには、透孔１６ｅ，１６ｆに対応する透孔１６ｇ，１６ｈが設けられている。すなわち、取付部材８ｃは、アーム補強部２８１ａがアーム２８ａの裏面に折り返された状態において、透孔１６ｅ及び透孔１６ｇに貫通している。同様に、取付部材８ｄは、アーム補強部２８１ｂがアーム２８ｂの裏面に折り返された状態において、透孔１６ｆ及び透孔１６ｈに貫通している。
【００５７】
接続部２０は、略コの字状に形成されている（図５参照）。接続部２０のコの字の両側面内側には、それぞれ、透孔１６ｊ，１６ｋが設けられており、接続部２０のコの字の両側面外側には、それぞれ、透孔１６ｍ，１６ｎが設けられている（図５、図６参照）。透孔１６ｊ，１６ｋには、それぞれ、取付部材８ａ，８ｂが左右方向に沿って取り付けられる。透孔１６ｍ，１６ｎには、それぞれ、取付部材８ｃ，８ｄが左右方向に沿って取り付けられる。接続部２０は、取付部材８ａ，８ｂ及び取付部材８ｃ，８ｄを回動軸として、それぞれ、取付部材８ａ，８ｂを通過する軸芯β周り及び取付部材８ｃ，８ｄを通過する軸芯γ周りに回動可能となっている。軸芯γは、取付部材８ｃ，８ｄの取付方向、すなわち、左右方向に沿っている。シールド１が接続部２０を介して帯状体２に取り付けられていることから、接続部２０を軸芯β又は軸芯γ周りに回動させることにより、シールド１が帯状体２に対して昇降動可能となっている。
【００５８】
実施形態２における帯状体２の中央部には、さらに、使用者Ｐが指で摘まむことが可能な摘みタブ２９が下方に向かって突設されている（図６参照）。
【００５９】
実施形態２において、アーム２８ａ，２８ｂの基端側には、それぞれ、帯状体２の幅方向に沿う第２山折り線２４が設けられている（図６参照）。第２山折り線２４に沿って帯状体２が山折りされることにより、アーム２８ａ，２８ｂが使用者Ｐの前方を向いた状態に維持されることから、アーム２８ａ，２８ｂの位置の安定化が図られる。
【００６０】
次に、実施形態２におけるマウスシールドＡに基づいて、遮蔽手段と、支持手段と、遷移手段と、について、詳述する。
【００６１】
＜遮蔽手段＞
実施形態２において、遮蔽手段は、シールド１によって、次のように実現される。
シールド１は、帯状体２の前方に位置しており、使用者Ｐの口のサイズよりも十分大きく設定されている（図７参照）。
【００６２】
シールド１は、シールド１の軸芯β周りの回動及び接続部２０の軸芯β，γ周りの回動のうち一方あるいは両方によって、帯状体２に対して昇降動可能となっている。シールド１の昇降動によって、帯状体２に対するシールド１の上下位置が調整される。帯状体２が使用者Ｐの頸部周りに装着された状態において、帯状体２に対するシールド１の上下位置が調整されることにより、シールド１が使用者Ｐの口の前方に位置している状態となる（図７参照）。このようなシールド１が使用者Ｐの口の前方に位置していることにより、使用者Ｐの口からの飛沫が遮蔽される。
【００６３】
＜支持手段＞
実施形態２において、支持手段は、帯状体２及び接続部２０によって、次のように実現される。
【００６４】
実施形態２における帯状体２は、実施形態１における帯状体２と同様に、環状体２ａを形成可能な略短冊状の板片からなるものである（図５参照）。また、帯状体２は、使用者Ｐの頸部周りに着脱可能に装着される（図７、図８参照）。
【００６５】
さらに、帯状体２のアーム２８ａ，２８ｂの先端には、シールド１が接続部２０及び取付部材８ａ〜８ｄを介して取り付けられている。すなわち、帯状体２は、遮蔽手段であるシールド１を支持するものである。
【００６６】
＜遷移手段＞
実施形態２において、遷移手段は、遮蔽手段であるシールド１を支持手段に対して昇降動させるものであり、接続部２０及び取付部材８ａ〜８ｄによって、次のように実現される。なお、取付部材８ａ，８ｂは、請求項に記載の「第１回動軸部」に相当するものであり、取付部材８ｃ，８ｄは、請求項に記載の「第２回動軸部」に相当するものである。
【００６７】
実施形態２における遮蔽状態とは、帯状体２に対するシールド１の上下位置が調整されることにより、シールド１が使用者Ｐの口の前方に位置しているとともに、使用者Ｐの口の前方において使用者Ｐの口からの飛沫を遮蔽している状態を指す（図７参照）。
【００６８】
シールド１は、取付部材８ａ，８ｂを回動軸とするシールド１の回動及び取付部材８ａ，８ｂ及び取付部材８ｃ，８ｄを回動軸とする接続部２０の回動のうち一方あるいは両方によって、帯状体２に対して昇降動可能となっている。シールド１が遮蔽状態から下方向に移動されると、シールド１は、使用者Ｐの口の前方に位置している状態から、使用者Ｐの胸部に近接している状態となる（図８参照）。使用者Ｐの胸部に近接している状態のシールド１は、使用者Ｐの口の前方位置から遠ざかっている。本実施形態における退避状態とは、シールド１が使用者Ｐの胸部に近接している状態を指す（図８参照）。
【００６９】
帯状体２に対するシールド１が再び上方向に移動されると、シールド１は、使用者Ｐの胸部に近接している退避状態から、使用者Ｐの口の前方に位置している遮蔽状態に回帰する。
【００７０】
なお、使用者Ｐがシールド１を帯状体２に対して昇降動させる際に、使用者Ｐが帯状体２の摘みタブ２９を指で摘まむことにより、シールドの昇降動に伴う帯状体２の移動が制限されることから、シールド１を滑らかに昇降動させることが可能となる。
【００７１】
上記の実施形態及び実施例はすべての点で例示であって、限定的な解釈の根拠となるものではない。従って、本発明の技術的範囲は、上記した実施形態及び実施例のみにより解釈されるものではなく、特許請求の範囲の記載に基づいて画定される。また、特許請求の範囲と均等の意味及び範囲内でのすべての変更が含まれる。
【００７２】
上記の実施形態では、シールド及び帯状体は紙製であるが、これに限らず、両者が共に合成樹脂製であってもよく、また、いずれか一方が紙製で他方が合成樹脂製であってもよい。さらに、シールド及び／又は帯状体は、紙製の基体の表面に合成樹脂被膜や金属被膜を設けたものであってもよい。また、シールド及び／又は帯状体は、その材質に拘らず、表面に抗菌処理を施したものであってもよい。
【符号の説明】
【００７３】
Ａ      マウスシールド
１      シールド
１０    シールド本体
１１    タブ
１１１  タブ補強部
１５    透孔
１６    透孔
１９    斜辺
２      帯状体
２ａ    環状体
２０    接続部
２１    第１スリット
２２    第２スリット
２３    第１山折り線
２４    第２山折り線
２５    透孔
２５０  透孔周辺部
２５１  補強部
２６    透孔
２７    突き当て部
２８    アーム
２８１  アーム補強部
２９    摘みタブ
８      取付部材
Ｐ      使用者
α      軸芯
β      軸芯
γ      軸芯
【要約】
【課題】装着状態での飲食等を許容し、かつ、着脱時及び装着時の快適性に優れたマウスシールドを提供する。
【解決手段】使用者Ｐの口の前方に位置して該口からの飛沫を遮蔽する遮蔽手段と、使用者Ｐの頸部周りに着脱可能に装着され、遮蔽手段を支持する支持手段と、遮蔽手段を、使用者Ｐの口の前方位置において飛沫を遮蔽する遮蔽状態と使用者Ｐの口の前方位置から退避した退避状態との間で遷移させる遷移手段と、を備えたことを特徴とするマウスシールドＡ。
【選択図】図１【図１】
0006945712.tif 000002
【図２】
0006945712.tif 000003
【図３】
0006945712.tif 000004
【図４】
0006945712.tif 000005
【図５】
0006945712.tif 000006
【図６】
0006945712.tif 000007
【図７】
0006945712.tif 000008
【図８】
0006945712.tif 000009